(57)【特許請求の範囲】
【請求項１】
表面に複数の発光ダイオードが実装された回路パターンを有する長尺状の回路基板と、
前記回路パターンに電気的に接続された給電線と、
前記複数の発光ダイオードから放射された光を内部に導入し前面から放射する導光板及び前記導光板の背面に固定された放熱板を有する導光板ユニットと、
前記回路基板が装着される基板装着部及び前記導光板ユニットに対して取り付けられる取付部を有する基板ホルダとを備えてなる照明ユニットであって、
前記基板ホルダは、前記給電線を前記回路基板に沿うように収納する給電線収納通路を備えており、
前記給電線収納通路の一方の端部に、前記給電線の一端に電気的に接続され雄型端子を有する雄型コネクタが配置され、
前記給電線収納通路の他方の端部に、前記給電線の他端に電気的に接続された雌型端子を有する雌型コネクタが配置され、
前記雄型端子及び前記雌型端子の少なくとも一方と前記回路パターンとの間に、前記給電線と前記回路パターンとを電気的に接続する接続手段が配置され、
前記雄型コネクタは、前記雄型端子が前記給電線収納通路の外に位置する第１の状態と前記雄型端子が前記給電線収納通路の外に位置しない第２の状態のいずれか一方の状態を選択できる内部構造または取付構造を有しており、
前記雄型コネクタはコネクタ本体から前記雄型端子が延び出た構造を有し、
前記取付構造は、前記雄型コネクタを前記給電線収納通路内でスライドさせて前記第１の状態と前記第２の状態を作ることができるようになっており、
前記雄型コネクタはコネクタ本体から前記雄型端子が延び出た状態と前記雄型端子が前記コネクタ本体内に収納された状態とを選択できる前記内部構造を有しており、
前記雄型コネクタは、前記第１の状態にあるときに、前記コネクタ本体の前記雄型端子が延び出る端面が前記給電線収納通路の外に位置しており、
前記雌型コネクタは、隣接する他の照明ユニットの雄型コネクタが前記第１の状態にあるときに、前記他の照明ユニットの雄型コネクタのコネクタ本体が前記給電線収納通路の前記他方の端部内に嵌合されることを許容する位置に固定されており、
前記基板ホルダは、仕切壁部によって仕切られた第１の収納室と第２の収納室とを有しており、
前記回路基板が前記第１の収納室に収納された状態で前記仕切壁部に熱伝達可能に装着され、
前記第２の収納室が前記給電線収納通路を構成しており、
前記仕切壁部には前記接続手段が貫通する１以上の貫通孔が形成されており、
前記給電線と前記雄型コネクタ及び前記雌型コネクタとが、一つの給電ユニットとして構成され、
前記給電ユニットを間に介して前記回路基板が、前記基板ホルダに装着されていることを特徴とする照明ユニット。
【請求項２】
前記取付部は、前記導光板の前記前面と対向する前方壁部と、前記放熱板の背面と接触する後方壁部とを備えており、
前記前方壁部には嵌合部が設けられており、前記導光板には、前記嵌合部と嵌合する被嵌合部が設けられており、
前記嵌合部は前記回路基板に沿って延びる嵌合用凸部であり、前記被嵌合部は前記嵌合用凸部が嵌合する嵌合用凹部であることを特徴とする請求項１に記載の照明ユニット。
【請求項３】
表面に複数の発光ダイオードが実装された回路パターンを有する長尺状の回路基板と、
前記回路パターンに電気的に接続された給電線と、
前記回路基板が装着される基板装着部を有する基板ホルダとを備えてなる照明ユニットであって、
前記基板ホルダは、前記給電線を前記回路基板に沿うように収納する給電線収納通路を備えており、
前記給電線収納通路の一方の端部に、前記給電線の一端に電気的に接続され雄型端子を有する雄型コネクタが配置され、
前記給電線収納通路の他方の端部に、前記給電線の他端に電気的に接続された雌型端子を有する雌型コネクタが配置され、
前記雄型端子及び前記雌型端子の少なくとも一方と前記回路パターンとの間に、前記給電線と前記回路パターンとを電気的に接続する接続手段が配置され、
前記雄型コネクタは、前記雄型端子が前記給電線収納通路の外に位置する第１の状態と前記雄型端子が前記給電線収納通路の外に位置しない第２の状態のいずれか一方の状態を選択できる内部構造または取付構造を有していることを特徴とする照明ユニット。
【請求項４】
前記複数の発光ダイオードから放射された光を内部に導入し前面から放射する導光板及び前記導光板の背面に固定された放熱板を有する導光板ユニットをさらに備え、
前記基板ホルダは、前記導光板ユニットに対して取り付けられる取付部を有する請求項３に記載の照明ユニット。
【請求項５】
前記雄型コネクタはコネクタ本体から前記雄型端子が延び出た構造を有し、
前記取付構造は、前記雄型コネクタを前記給電線収納通路内でスライドさせて前記第１の状態と前記第２の状態を作ることができるようになっていることを特徴とする請求項３または４に記載の照明ユニット。
【請求項６】
前記雄型コネクタはコネクタ本体から前記雄型端子が延び出た状態と前記雄型端子が前記コネクタ本体内に収納された状態とを選択できる前記内部構造を有している請求項３または４に記載の照明ユニット。
【請求項７】
前記雌型コネクタは、隣接する他の照明ユニットの雄型コネクタが前記第１の状態にあるときに、前記他の照明ユニットの雄型コネクタのコネクタ本体が前記給電線収納通路の前記他方の端部内に嵌合されることを許容する位置に固定されている請求項５に記載の照明ユニット。
【請求項８】
前記取付部は、前記導光板の前記前面と対向する前方壁部と、前記放熱板の背面と接触する後方壁部とを備えており、
前記前方壁部には嵌合部が設けられており、前記導光板には、前記嵌合部と嵌合する被嵌合部が設けられていることを特徴とする請求項４に記載の照明ユニット。
【請求項９】
前記嵌合部は前記回路基板に沿って延びる嵌合用凸部であり、前記被嵌合部は前記嵌合用凸部が嵌合する凹部であることを特徴とする請求項８に記載の照明ユニット。
【請求項１０】
前記基板ホルダは、仕切壁部によって仕切られた第１の収納室と第２の収納室とを有しており、
前記回路基板が前記第１の収納室に収納された状態で前記仕切壁部に熱伝達可能に装着され、
前記第２の収納室が前記給電線収納通路を構成しており、
前記仕切壁部には前記接続手段が貫通する１以上の貫通孔が形成されている請求項３、４、８または９に記載の照明ユニット。
【請求項１１】
前記給電線と前記雄型コネクタ及び前記雌型コネクタとが、一つの給電ユニットとして構成され、
前記給電ユニットを間に介して前記回路基板が、前記基板ホルダに装着されている請求項３または４に記載の照明ユニット。
【発明の詳細な説明】
【技術分野】
【０００１】
本発明は、発光ダイオードを用いた照明ユニットに関するものである。
【背景技術】
【０００２】
特開２００９−９９３６３号公報［特許文献１］には、基板となるベース上に複数のLED発光素子を実装した複数のLED照明ユニットを雄型コネクタと雌型コネクタとを用いて連結する技術が開示されている。また特開２００８−１０８７２８号公報［特許文献２］には、LEDランプを実装した棒状の複数のLED照明ユニットを雄型接続部材を介して接続する技術が開示されている。
【０００３】
また特許第４２１１０２９号公報［特許文献３］の図５（ｄ）には、複数の発光ダイオードから放射された光を内部に導入し前面から放射する導光板及び導光板の背面に固定された放熱板を有する導光板ユニットと、回路基板が装着される基板装着部及び導光板ユニットに対して取り付けられる取付部を有する基板ホルダとを備えてなる照明ユニットの一例が開示されている。
【先行技術文献】
【特許文献】
【０００４】
【特許文献１】特開２００９−９９３６３号公報
【特許文献２】特開２００８−１０８７２８号公報
【特許文献３】特許第４２１１０２９号公報の図５（ｄ）
【発明の概要】
【発明が解決しようとする課題】
【０００５】
特許文献１及び２の照明ユニットのように、雄型コネクタや雄型接続部材を用いると、複数の照明ユニットを接続して壁や天井等に実装した後に、使用しているLED発光素子が壊れて照明ユニットを交換しようとする場合には、端に位置する照明ユニットから順番に外して交換が必要な照明ユニットを交換しなければならない。そのため１つの照明ユニットの交換のために、面倒で時間のかかる交換作業が必要になる問題がある。
【０００６】
本発明の目的は、交換が容易な照明ユニットを提供することにある。
【０００７】
上記目的に加えて、本発明の他の目的は、組立が容易な照明ユニットを提供することにある。
【課題を解決するための手段】
【０００８】
本発明の照明ユニットは、表面に複数の発光ダイオードが実装された回路パターンを有する長尺状の回路基板と、回路パターンに電気的に接続された給電線と、回路基板が装着される基板装着部を有する基板ホルダとを備えている。基板ホルダは、給電線を回路基板に沿うように収納する給電線収納通路を備えている。そして給電線収納通路の一方の端部に、給電線の一端に電気的に接続された雄型端子を有する雄型コネクタが配置される。また給電線収納通路の他方の端部に、給電線の他端に電気的に接続された雌型端子を有する雌型コネクタが配置される。雄型端子及び雌型端子の少なくとも一方と回路パターンとの間に、給電線と回路パターンとを電気的に接続する接続手段が配置される。そして雄型コネクタは、雄型端子が給電線収納通路の外に位置する第１の状態と雄型端子が給電線収納通路の外に位置しない第２の状態のいずれか一方の状態を選択できる内部構造または取付構造を有している。
【０００９】
このような雄型コネクタを用いると、ある照明ユニットの交換が必要な場合に、上記雄型ユニットの内部構造または取付構造を採用したことにより、雄型端子を第１の状態から第２の状態に変位させて、隣接する他の照明ユニットの雌型コネクタから雄型端子を抜くことができる。そのため交換が必要な照明ユニットだけを取付位置から簡単に取り外すことができる。
【００１０】
本発明は、複数の発光ダイオードから放射された光を内部に導入し前面から放射する導光板及び導光板の背面に固定された放熱板を有する導光板ユニットを備えた面発光の照明ユニットにも適用することができる。この場合には、基板ホルダとしては、回路基板が装着される基板装着部及び導光板ユニットに対して取り付けられる取付部を有するものを用いればよい。
【００１１】
雄型コネクタとしてコネクタ本体から雄型端子が延び出た構造を有する場合には、取付構造は、雄型コネクタを給電線収納通路内でスライドさせて第１の状態と第２の状態を作ることができるようになっていればよい。このような取付構造を用いれば、雄型コネクタを全体的にスライドさせるだけで、雄型端子を雌型端子から抜くことができる。そのため雄型コネクタとして既製品を使用することができ、照明ユニットの価格を安価なものとすることができる。
【００１２】
また雄型コネクタとして、コネクタ本体から雄型端子が延び出た状態と雄型端子がコネクタ本体内に収納された状態とを選択できる内部構造を有するものを用いても良い。このような内部構造を有する雄型コネクタを用いれば、雄型コネクタのコネクタ本体を固定した状態で、雄型端子を雌型端子から抜くことができる。そのため雄型端子の接続及び引き抜き作業が容易になる利点が得られる。
【００１３】
雌型コネクタは、隣接する他の照明ユニットの雄型コネクタが第１の状態にあるときに、他の照明ユニットの雄型コネクタのコネクタ本体が給電線収納通路の他方の端部内に嵌合されることを許容する位置に固定されるようにすることが好ましい。このように構成すると、雄型コネクタのコネクタ本体と隣接する他の照明ユニットの雌型コネクタとの当接面は、給電線収納通路内に位置することになる。そのため、隣接する二つの基板ホルダ同士の当接面と、雄型コネクタと雌型コネクタとの当接面とが、同一仮想面状に位置しなくなる。その結果、隣接する二つの基板ホルダの当接面と雄型コネクタと雌型コネクタとの当接面との間の距離が長くなる分、照明ユニットの水密性を高めることができる。
【００１４】
取付部は、導光板の前面と対向する前方壁部と、放熱板の背面と接触する後方壁部とを備えたものとすることができる。この場合には、前方壁部に嵌合部を設ける。そして、前方壁部の嵌合部と嵌合する被嵌合部を導光板に設ける。このように構成すると、導光板ユニットを基板ホルダの取付部に嵌合構造により取り付けることができるので、導光板ユニットが基板ホルダから簡単に外れてしまうことがない。また、嵌合部と被嵌合部との嵌合により、導光板を照明ユニットに対して簡単に位置決めできるので、照明ユニットの組立を容易に行うことができる。基板ホルダの取付部の前方壁部に設ける嵌合部及び導光板に設ける被嵌合部の構造としては、任意の構造を採用することができる。例えば嵌合部を回路基板に沿って延びる嵌合用凸部とすることができる。この場合には、被嵌合部を嵌合用突起が嵌合する嵌合用凹部とする。このように構成すると、簡単な構造で、導光板ユニットを回路基板に沿って基板ホルダの取付部にしっかりと取り付けることができる。
【００１５】
基板ホルダの構造は任意であるが、仕切壁部によって仕切られた第１の収納室と第２の収納室とを有しているものを用いることができる。このような基板ホルダを用いる場合には、回路基板を第１の収納室に収納された状態で仕切壁部に熱伝達可能に装着し、第２の収納室により給電線収納通路を構成することができる。このようにすると回路基板と雄型コネクタ及び雌型コネクタとの位置関係を簡単に定めることができて、照明ユニットの組立が容易になる。
【００１６】
なおこの場合には、仕切壁部に接続手段が貫通する１以上の貫通孔を形成する。このようにすると回路基板への給電構造を簡単なものとすることができる。
【００１７】
また複数の給電線と雄型コネクタ及び雌型コネクタとを、一つの給電ユニットとして構成することができる。この場合には、給電ユニットを間に介して回路基板を基板ホルダに装着することができる。
【図面の簡単な説明】
【００１８】
【図１】（Ａ）は本発明の第１の実施の形態の照明ユニットを備えた面発光照明装置の斜視図であり、（Ｂ）は面発光照明装置の分解斜視図である。
【図２】照明ユニットの発光部を拡大して示した斜視図である。
【図３】（Ａ）は照明ユニットの概略分解側面図であり、（Ｂ）は照明ユニットの概略側面図である。
【図４】（Ａ）及び（Ｂ）は、雄型コネクタの内部構造を説明するために用いる図である。
【図５】本発明の第２の実施の形態の照明ユニットを備えた面発光照明装置の要部の断面図である。
【図６】第２の実施の形態の発光部の構造を示す断面図である。
【図７】（Ａ）乃至（Ｃ）は雌型コネクタと雄型コネクタの接続構造の変形例を示す図である。
【図８】本発明の第３の実施の形態の照明ユニットを備えた面発光照明装置の要部の断面図である。
【図９】本発明の第４の実施の形態の照明ユニットを備えた面発光照明装置の要部の断面図である。
【発明を実施するための形態】
【００１９】
以下図面を参照して本発明の照明ユニットの第１の実施の形態の一例を詳細に説明する。図１（Ａ）は、本発明の実施の形態の照明ユニット１を備えた面発光照明装置３の斜視図であり、図１（Ｂ）は面発光照明装置３の分解斜視図である。図２は、それ自体で照明ユニットとなる照明ユニット１の発光部１′を拡大して示した斜視図であり、図３（Ａ）は照明ユニット１の概略分解側面図であり、図３（Ｂ）は、照明ユニット１の概略側面図である。この面発光照明装置３は、３つの照明ユニット１が直列に接続されて構成されている。符号５で示した部材は、図示しない電源から直流電力または交流電力を供給するために面発光照明装置３に接続された給電用コネクタである。
【００２０】
照明ユニット１は、図３に示すように複数の発光ダイオードLEDから放射された光を内部に導入し前面から放射する導光板１１及び導光板１１の背面に固定された放熱板１２を有する導光板ユニット１３を備えている。発光部１′は、表面に複数の発光ダイオードLEDが実装された回路パターン（図示せず）を有する長尺状の回路基板１４と、回路基板１４がインサートモールド成形によりインサート成形された給電ユニット１５と、基板ホルダ１６とを備えている。図示しない回路パターンは、複数の発光ダイオードLEDにそれぞれ直流電圧または交流電圧を印加できるように構成されている。交流電圧が発光ダイオードLEDに印加される場合には、回路パターンに設けた整流回路によりＬＥＤが使用できる程度に電圧の変動幅を小さくして発光ダイオードLEDを発光させている。回路パターンに電力を供給するための給電線（図示せず）は、給電ユニット１５内に配置されている。給電ユニット１５は、図示しない接続手段を介して回路基板１４の回路パターンに給電線から電力を給電する。なお、図３においては理解を容易にするために、回路基板１４の厚み寸法を誇張して示してある。
【００２１】
給電ユニット１５は、複数本（本実施の形態では４本）の雄型端子１７Ａを備えた雄型コネクタ１７と、明確には図示していない複数（本実施の形態では２本）の雌型端子を備えた雌型コネクタ１８と、図示しない給電線とを内部に備え、且つ発光ダイオードLEDが設けられた面を露出するように回路基板１４がインサートモールドされたモールド製品として構成されている。なお、雄型コネクタ１７の雄型端子は、２本とすることもできる。基板ホルダ１６は、断面形状が略コの字形をなすアルミニウムまたはアルミニウム合金（例えばＪＩＳ  Ａ−６０６３）製の一体成形品であり、内部に複数の給電線を備えた給電ユニット１５が回路基板１４に沿うように収納される給電線収納通路１６Ａを備えている。その結果、給電線収納通路１６Ａの一方の端部に、複数の給電線の一端に電気的に接続された前述の複数の雄型端子１７Ａを有する雄型コネクタ１７が配置され、給電線収納通路１６Ａの他方の端部に、複数の給電線の他端に電気的に接続された複数の雌型端子を有する雌型コネクタ１８が配置されることになる。この基板ホルダ１６は、回路基板１４が装着される基板装着部１６Ｂと導光板ユニット１３に対して取り付けられる取付部１６Ｃとを有している。取付部１６Ｃは、導光板ユニット１３の放熱板１２の背面と接触して、給電ユニット１５（特に発光ダイオードLED）から発生する熱を、放熱板１２に伝達する。なお本実施の形態では、導光板ユニット１３の上側端部を基板ホルダ１６の取付部１６Ｃで夾み込むように基板ホルダ１６の形状が定められている。
【００２２】
図４に概略的に示すように、本実施の形態では、雄型コネクタ１７として、コネクタ本体１７Ｂから複数の雄型端子１７Ａが延び出た状態と複数の雄型端子１７Ａがコネクタ本体１７Ｂ内に収納された状態とを選択できる内部構造を有するものを用いている。この雄型コネクタ１７は、雄型端子１７Ａが固定されたベース１７Ｃがコネクタ本体１７Ｂ内をスライドする構造を有している。ベース１７Ｃにはノブ１７Ｄが一体に設けられている。この雄型コネクタ１７は、ベース１７Ｃがコネクタ本体１７Ｂ内をスライドするだけの構造で、複数の雄型端子１７Ａが外部に延び出た状態と、内部に引き込まれた状態を実現する。このような構造であっても、雌型端子の保持力をある程度強いものとしておけば、雄型端子１７Ａと雌型端子との接続が解除されることはない。ノブ１７Ｄは、基板ホルダ１６に形成されたスライド孔１６Ｄから外部に出ている。ノブ１７Ｄをスライドさせることによってベース１７Ｃが移動することにより、複数の雄型端子１７Ａがコネクタ本体１７Ｂ内に収納された状態になる。なお図示しない給電線と複数の雄型端子１７Ａとの電気的な接続構造については、図示を省略してある。このような雄型コネクタ１７を用いれば、雄型コネクタ１７のベース１７Ｃを全体的にスライドさせるだけで、雄型端子１７Ａを隣り合う他の照明ユニット１の雌型端子から抜くことができる。そのため１台の照明ユニット１を設置場所から取り外す際には、雄型コネクタ１７のノブ１７Ｄをスライドさせて雄型端子１７Ａを隣接する照明ユニット１の雌型コネクタの雌型端子から引き抜く作業を行うことにより、隣り合う二つの照明ユニットの機械的な接続を解除して、１台の照明ニット１だけを単独で取り外すことが可能になる。ちなみに図１に示された面発光照明装置３において、中央の照明ユニット１を取り外す際には、中央の照明ユニット１のノブ１７Ｄと左隣りの照明ユニット１のノブ１７Ｄを左にスライドさせることにより、中央の照明ユニット１を外すことが可能になる。なお雄型コネクタ１７の構造はこの例に限定されるものではない。
【００２３】
上記実施の形態では、基板ホルダ１６の天板部にノブ１７Ｄを出すためのスライド孔１６Ｄを設けているが、基板ホルダ１６の側壁部にノブ１７Ｄを出すためのスライド孔を設けて、基板ホルダ１６の側方からノブ１７Ｄを操作できるようにしてもよい。
【００２４】
図５及び図６は、本発明の照明ユニット１０１の第２の実施の形態の部分断面図及び発光部１０１′の構造を概略的に示す図である。なお図５では、雄型コネクタ１１７は断面にして示していない。また図５及び図６においては、理解を容易にするために一部の寸法を誇張して示している。本実施の形態の照明ユニット１０１は、基板取付部を構成する仕切壁部１１６Ｂによって仕切られた給電線収納通路（第２の収納室）１１６Ａと基板収納通路（第１の収納室）１１６Ｄとを有している。本実施の形態では、仕切壁部１１６Ｂが基板装着部を構成している。図６に示すように、仕切壁部１１６Ｂには、接続手段を構成する２本の導電性端子１２０が貫通する貫通孔１１６Ｆが形成されている。２本の導電性端子１２０は雌型コネクタ１１８から延び出ており、２本の給電線Ｌに電気的に接続されている。２本の導電性端子１２０は、回路基板１１４に設けられた２つのスルーホール１１４Ａを貫通して、回路基板１１４の表面に突出し、図示しない回路パターンに半田付け接続されている。この導電性端子１２０の回路パターンへの接続によって、複数の発光ダイオードLEDへの電力の供給が実現される。
【００２５】
基板ホルダ１１６に設けられた給電線収納通路１１６Ａは、２本の給電線Ｌを回路基板１１４に沿うように収納している。給電線収納通路１１６Ａの一方の端部に、給電線Ｌの一端に電気的に接続され２本の雄型端子１１７Ａを有する雄型コネクタ１１７が配置される。また給電線収納通路１１６Ａの他方の端部に、２本の給電線Ｌの他端に電気的に接続された２つの雌型端子（図示せず）を有する雌型コネクタ１１８が配置されている。雄型コネクタ１１７は、雄型端子１１７Ａが給電線収納通路１１６Ａの外に位置する第１の状態と雄型端子１１７Ａが給電線収納通路１１６Ａの外に位置しない第２の状態のいずれか一方の状態を選択できる取付構造を有している。本実施の形態の取付構造は、雄型コネクタ１１７を給電線収納通路１１６Ａ内でスライドさせて第１の状態と第２の状態を作ることができるようになっている。
【００２６】
具体的には、基板ホルダ１１６の壁部に形成した、基板ホルダ１１６の長手方向に延びる長孔１１６Ｇにネジ部材１１９を挿入し、ネジ部材１１９の先端部を雄型コネクタ１１７の本体にねじ込むことにより、雄型コネクタ１１７を固定している。なおネジ部材１１９を少し緩めて外して、ネジ部材１１９の先端を雄型コネクタ１１７の本体に係止させた状態でネジ部材１１９を細孔１１６Ｇ内でスライドさせることにより雄型コネクタ１１７を図示の矢印方向にスライドさせる。このスライドにより雄型コネクタ１１７を第１の状態から第２の状態へと移動させることができる。なお給電線Ｌは可撓性を有しているため、給電線Ｌが雄型コネクタ１１７のスライドの障害になることはない。また仕切壁部１１６Ｂに設けられた貫通孔１１６Ｆには、雌型コネクタ１１８を装着する際に導電性端子１２０が挿入される長溝１１６Ｉが形成されている。雌型コネクタ１１８は接着剤を用いて基板ホルダ１１６に固定されている。このような取付構造を用いれば、雄型コネクタ１１７を全体的にスライドさせるだけで、雄型端子１１７Ａを隣り合う他の照明ユニットの雌型端子から抜くことができる。そのため雄型コネクタ１１７として既製品を使用することができ、照明ユニットの価格を安価なものとすることができる。
【００２７】
基板ホルダ１１６には、図５に示すように、導光板ユニット１１３の端部と当接するリブ１１６Ｊが一体に設けられている。なお図５においては、各部材の位置関係の理解を容易にするために、リブ１１６Ｊと発光ダイオードＬＥＤかとの間隔を空けて示しているが、実際にはリブ１１６Ｊは、発光ダイオードＬＥＤに近接した位置に設けられている。そのため、導光板ユニット１１３は発光ダイオードＬＥＤに近接した位置に配置されている。本実施の形態では、基板ホルダ１１６として、アルミニウムまたはアルミニウム合金（例えばＪＩＳ  Ａ−６０６３）を押し出し成形により押し出して、一体成形したものを用いている。
【００２８】
なお基板ホルダ１１６と導光板ユニット１１３の端部とは、修理点検を容易にするためには強嵌合で結合するのが好ましい。しかし両者の結合をしっかりとするためには、さらに両面接着テープや粘着剤を用いてもよいのは勿論である。
【００２９】
上記実施の形態では、基板ホルダ１１６の天板部にネジ部材１１９を挿入する細孔１１６Ｇを設けているが、基板ホルダ１１６の側壁部にネジ部材１１９を出すための細孔１１６Ｇを設けて、基板ホルダ１１６の側方からネジ部材１１９を操作できるようにしてもよい。
【００３０】
図７（Ａ）乃至（Ｃ）は、雌型コネクタと雄型コネクタの接続構造の変形例を示す図である。なお図７（Ａ）乃至（Ｃ）では、図を簡略化するために、雄型コネクタ１１７をスライドさせるためのネジ部材及び長孔は示していない。図７（Ａ）は、雄型コネクタ１１７が第１の状態にある状態を示しており、図７（Ｂ）は雌型コネクタ１１８のコネクタ本体１１８Ａの位置を示している。なお、図７（Ａ）及び（Ｂ）では、理解を容易にするために、隣接する照明ユニット１０１同士の間隔を開けた状態で示している。図７（Ｃ）は、図７（Ａ）及び（Ｂ）に示した雄型コネクタ１１７と雌型コネクタ１１８とを接続した状態を示している。図７（Ａ）に示すように、この変形例の雄型コネクタ１１７は、第１の状態にあるときに、コネクタ本体１１７Ａの一部が雄型端子１１７Ａとともに基板ホルダ１１６から突出する。また図７（Ｂ）に示すように、雌型コネクタ１１８は、隣接する他の照明ユニット１０１の基板ホルダ１１６から突出する雄型コネクタ１１７のコネクタ本体１１７Ｂの一部と、給電線収納通路１１６Ａ内で嵌合できるように、基板ホルダ１１６の端面よりも内側の電線収納通路１１６Ａ内に配置されている。従って、雄型コネクタ１１７のコネクタ本体１１７Ｂは、給電線収納通路１１６Ａ内で隣接する他の照明ユニット１０１の雌型コネクタ１１７と嵌合することができる。このように構成すると、図７（Ｃ）に示すように、雄型コネクタ１１７のコネクタ本体１１７Ｂと隣接する照明ユニット１０１の雌型コネクタ１１８との当接面Ｓ１は、給電線収納通路１１６Ａ内に位置することになる。そのため、照明ユニット１０１の基板ホルダ１１６同士の当接面Ｓ２と、雄型コネクタ１１７と雌型コネクタ１１８との当接面Ｓ１とが、同一仮想面上に位置しなくなる。その結果、照明ユニット１０１の基板ホルダ１１６同士の当接面Ｓ２と、雄型コネクタ１１７と雌型コネクタ１１８との当接面Ｓ１との間の距離が長くなり、基板ホルダ１１６同士の当接面Ｓ２に水が入った場合であっても、雄型コネクタ１１７と雌型コネクタ１１８との当接面Ｓ１に直ちに水が到達することを防止することができ、照明ユニットの水密性を高めることができる。
【００３１】
図８は、本発明の第３の実施の形態の照明ユニットを備えた面発光照明装置の要部の断面図である。なお図５に示した第２の実施の形態と同様の部材には、図５に付した符号に１００の数を加えた数の符号を付して詳細な説明を省略する。第３の実施の形態では、第２の実施の形態に設けられていたリブは設けられていない。本実施の形態の照明ユニット２０１では、取付部２１６が前方壁部２１６Ｋと後方壁部２１６Ｌとを有している。前方壁部２１６Ｋは、導光板２１１の前面と対向している。後方壁部２１６Ｌは、放熱板２１２の背面と接触している。前方壁部２１６Ｋの仕切壁部２１６Ｂとは反対側の端部に、導光板２１１の前面に向かって突出する細長い嵌合用凸部２１６Ｍが設けられている。この嵌合用凸部２１６Ｍは、回路基板２１４に沿って延びている。また導光板２１１には、基板ホルダ２１６に取り付けられたときに嵌合用凸部２１６Ｍと対向する位置に、嵌合用凸部２１６Ｍが嵌合する嵌合用凹部２１１Ａが設けられている。本実施の形態では、基板ホルダ２１６に導光板２１１を取り付けたときに、嵌合用凸部２１６Ｍが嵌合用凹部２１１Ａに嵌合するので、導光板ユニット２１３を基板ホルダ２１６にしっかりと取り付けることができる。よって導光板ユニット２１３が基板ホルダ２１６から簡単に外れてしまうことがない。
【００３２】
図９は、本発明の第４の実施の形態の照明ユニットを備えた面発光照明装置の要部の断面図である。なお第８図に示した第３の実施の形態と同様の部材には、第８図に付した符号に１００の数を加えた数の符号を付して詳細な説明を省略する。第４の実施の形態は、第２の実施の形態で設けられていたリブ１１６Ｊに相当するリブ３１６Ｊが設けられている点が第３の実施の形態と異なる。なお、図８及び図９においても、各部材の位置関係の理解を容易にするために、導光板ユニットと発光ダイオードＬＥＤとの間隔を空けて示しているが、実際には導光板ユニットは発光ダイオードＬＥＤに近接する位置に配置されている。
【００３３】
また上記の実施の形態では、照明が導光板ユニットを備えた構造を有しているが、本発明は、導光板ユニットを備えていない照明ユニットにも適用することができるのは勿論である。
【００３４】
また上記実施の形態では、雄型端子及び雌型端子はそれぞれ複数本用いられているが、１本の接続端子を用いる回路構成を採用してもよいのは勿論である。
【産業上の利用可能性】
【００３５】
本発明によれば、照明ユニットの交換が必要な場合に、雄型ユニットの雄型端子を第１の状態から第２の状態に変位させて、隣接する他の照明ユニットの雌型コネクタから雄型端子を抜くことができるので、交換が必要な照明ユニットだけを取付位置から簡単に取り外すことができる利点が得られる。
【符号の説明】
【００３６】
１          照明ユニット
３          面発光照明装置
５          給電用コネクタ
１１        導光板
１２        放熱板
１３        導光板ユニット
１４        回路基板
１５        給電ユニット
１６        基板ホルダ
１６Ａ      給電線収納通路
１６Ｂ      基板装着部
１６Ｃ      取付部
１６Ｄ      スライド孔
１７        雄型コネクタ
１７Ａ      雄型端子
１７Ｂ      コネクタ本体
１７Ｃ      ベース
１７Ｄ      ノブ
１８        雌型コネクタ
１０１      照明ユニット
１１３      導光板ユニット
１１４      回路基板
１１４Ａ    スルーホール
１１６      基板ホルダ
１１６Ａ    給電線収納通路
１１６Ｂ    仕切壁部
１１６Ｆ    貫通孔
１１６Ｇ    長孔
１１６Ｉ    長溝
１１６Ｊ    リブ
１１７      雄型コネクタ
１１７Ａ    雄型端子
１１８      雌型コネクタ
１１９      ネジ部材
１２０      導電性端子
LED         発光ダイオード
Ｌ          給電線
【図１】
0005788255.tif 000002
【図２】
0005788255.tif 000003
【図３】
0005788255.tif 000004
【図４】
0005788255.tif 000005
【図５】
0005788255.tif 000006
【図６】
0005788255.tif 000007
【図７】
0005788255.tif 000008
【図８】
0005788255.tif 000009
【図９】
0005788255.tif 000010